(57)【特許請求の範囲】
【請求項１】
掃除機本体の後部に形成された第１の排気口と、
前記掃除機本体の後部で前記第１の排気口の下側に形成された第２の排気口と、
前記掃除機本体に設けられる一対の車輪と、を備える電気掃除機において、
前記後部に形成され、前記掃除機本体の前部を上向きにしたときに床面に当接して当該掃除機本体を前記一対の車輪とで支持する支持部を備え、
前記第２の排気口の流路は、水平方向に対して斜め上向きに形成され、
前記第２の排気口の流路を形成する壁面のうち上壁面の長さは、前記第２の排気口の流路を形成する壁面のうち下壁面の長さよりも長いことを特徴とする電気掃除機。
【請求項２】
前記第１の排気口は、電源コードの収納口を含むことを特徴とする請求項１に記載の電気掃除機。
【請求項３】
前記第２の排気口の流路は、前記掃除機本体の表面よりも前記掃除機本体の内側に形成され、
前記第２の排気口の流路を形成する壁面のうち上壁面の前記掃除機本体の内側への形成量は、前記第２の排気口の流路を形成する壁面のうち下壁面の前記掃除機本体の内側への形成量よりも長いことを特徴とする請求項１または請求項２に記載の電気掃除機。
【請求項４】
前記第２の排気口は、前記掃除機本体の内部に配置される電動送風機の排出口から前記第１の排気口に至るまでの排気流路の途中に形成され、
前記上壁面は、前記掃除機本体の内側である前記排気流路の流路内に飛び出して形成されることを特徴とする請求項３に記載の電気掃除機。
【請求項５】
前記第２の排気口は、排気部材が、前記掃除機本体の後部の切欠き孔に取り付けられることで形成され、
前記排気部材は、略四角横長形状の枠体と、該枠体の内側に形成される横リブおよび縦リブと、を備えることを特徴とする請求項１乃至請求項４のいずれか１項に記載の電気掃除機。
【発明の詳細な説明】
【技術分野】
【０００１】
本発明は、掃除機本体の後部から排気する電気掃除機に関する。
【背景技術】
【０００２】
電気掃除機では、電動送風機を介して吸い込んだ空気を機外に排出する際に、主に掃除機本体の後部から排気を排出することが行われている。しかし、掃除機本体の後部から後方へ排気を出した場合、床面の塵を巻き上げることになる。そこで、排気口の下側に別の排気口を上向きに設けて、下側の上向きの排気を上側の排気と干渉させて、排気を全体として上方に向ける技術が提案されている（特許文献１参照）。
【先行技術文献】
【特許文献】
【０００３】
【特許文献１】特許第３９２４８５２号公報（段落００３８、００４０、図９参照）
【発明の概要】
【発明が解決しようとする課題】
【０００４】
しかしながら、特許文献１に記載の技術では、排気が上向き（真上の向き）に設定されているため、排気が使用者の顔などに当たって使用者が不快に感じるという問題がある。また、上向きの排気口を設けると、排気口を後方に突出させて設ける必要があり、それに伴い車輪を排気口のさらに後方に配置する必要があり、掃除機本体が大型化する。また、排気口が上向きに設定されることにより、排気口の開口部から異物（液体、塵埃など）が侵入し易くなるという問題もある。
【０００５】
本発明は前記従来の問題を解決するものであり、排気口を真上に向けることなく、床面の塵埃の巻き上げを抑制することができる電気掃除機を提供することを課題とする。
【課題を解決するための手段】
【０００６】
本発明は、掃除機本体の後部に形成された第１の排気口と、前記掃除機本体の後部で前記第１の排気口の下側に形成された第２の排気口と、前記掃除機本体に設けられる一対の車輪と、を備える電気掃除機において、前記後部に形成され、前記掃除機本体の前部を上向きにしたときに床面に当接して当該掃除機本体を前記一対の車輪とで支持する支持部を備え、前記第２の排気口の流路は、水平方向に対して斜め上向きに形成され、前記第２の排気口の流路を形成する壁面のうち上壁面の長さは、前記第２の排気口の流路を形成する壁面のうち下壁面の長さよりも長いことを特徴とする。
【発明の効果】
【０００７】
本発明によれば、排気口を真上に向けることがないので、排気が使用者に当たることがなく、掃除機本体の大型化および排気口への異物侵入を防止でき、しかも床面の塵埃の巻き上げを抑制することが可能となる。
【図面の簡単な説明】
【０００８】
【図１】第１実施形態の電気掃除機を示す外観斜視図である。
【図２】掃除機本体を示す斜視図である。
【図３】掃除機本体の上本体カバーと集塵ケースを取り外した状態を示す斜視図である。
【図４】図６のＡ−Ａ線断面図である。
【図５】（ａ）は電動送風機からコードリールへの排気の流れを示す概略図、（ｂ）はコードリールから外部への排気の流れを示す概略図である。
【図６】掃除機本体の後部を示す平面図である。
【図７】第２の排気口を構成する排気部材を示す斜視図である。
【図８】図７のＢ−Ｂ線断面図である。
【図９】掃除機本体の外部における排気の流れを示す断面図である。
【図１０】第２の排気口からの排気の流れを示す模式図である。
【図１１】第２実施形態の電気掃除機を示す外観斜視図である。
【図１２】図１１に示す電気掃除機の縦断面図である。
【図１３】第３実施形態の電気掃除機を示す外観斜視図である。
【図１４】図１３に示す電気掃除機の縦断面図である。
【発明を実施するための形態】
【０００９】
（第１実施形態）
以下、本発明の第１実施形態について図１ないし図１０を参照して説明する。
図１に示すように、電気掃除機１Ａは、掃除機本体２と、ホース３と、手元操作スイッチＳＷ等が設けられた操作管４と、継手管（管）としての延長管５と、第１の吸込具６および第２の吸込具７とを備えて構成されている。第１の吸込具６の根元部に第２の吸込具７の先端部が接続され、第２の吸込具７の根元部に延長管５の先端部が接続され、延長管５の根元部に操作管４の先端部が接続され、操作管４の根元部にホース３が接続され、ホース３の根元部が掃除機本体２の前端部に接続される。なお、第２の吸込具７は、延長管５と操作管４との間に接続してもよく、しなくてもよい。また、以下の説明で各部の方向を言うときには、図２に示す方向を基準とする。
【００１０】
図２に示すように、掃除機本体２の上面には、開閉自在な蓋体２ａが設けられており、蓋体２ａを開くことにより、集塵ケース１０が収容される集塵ケース室２ｂが露出するようになっている。なお、第１実施形態に係る電気掃除機１Ａは、紙パックを使用しないタイプであり、集塵ケース１０内に塵埃を直接溜めるタイプであるが、紙パックを使用するタイプにも適用可能である。
【００１１】
集塵ケース１０は、前面にホース３からの塵埃が流入する流入口（図示せず）が形成され、後面に濾過フィルタ１３（図４参照）が取り付けられて構成されている。また、集塵ケース１０は、集塵ケース室２ｂに対して着脱自在に設けられており、清掃終了後等に定期的に集塵ケース室２ｂから取り出される。そして、集塵ケース１０の内部に捕集された塵埃がごみ箱等に捨てられる。集塵ケース室２ｂは、掃除機本体２の内部の前側に形成されている。
【００１２】
図３に示すように、掃除機本体２は、上下方向（鉛直方向）の略上半分の外形を成す上本体ケース２Ａと、略下半分の外形を成す下本体ケース２Ｂとが組み合わされて掃除機本体２の外観が構成されている。なお、図３は、集塵ケース１０を取り外した状態である。
【００１３】
掃除機本体２の内部には、右後側に電動送風機２０Ａが配置され、電動送風機２０Ａの左側にコードリール３０が配置されている。前側の集塵ケース１０（図２参照）と、後側の電動送風機２０Ａおよびコードリール３０との間には、掃除機本体２の内部を前後に区画する中央区画壁１１が配置されている。
【００１４】
中央区画壁１１は、集塵ケース１０から出た空気を電動送風機２０Ａに導くダクトを形成している。また、中央区画壁１１には、集塵ケース１０に設けられた濾過フィルタ１３（図４参照）を叩くことで、濾過フィルタ１３の集塵ケース１０の内側に付着した塵埃を除去する除塵装置１２が設けられている。
【００１５】
除塵装置１２は、濾過フィルタ１３を叩く打撃除塵子１２ａ、打撃除塵子１２ａを駆動させるシリンダ１２ｂ、打撃除塵子１２ａを一方向（前方）に付勢するコイルばね（図示せず）などで構成されている。
【００１６】
前記した除塵装置１２では、コードリール３０の電源コード３１の引き出し（コード引き出し）、ないし電源コード３１の巻き取り（コード巻き取り）に伴い、コードリール３０のリール部３２に設けられた大径の歯車Ｇの回転力が、小径の中間ギアｇ１、小径の伝達ギアｇ２を介してシリンダ１２ｂに伝達されるようになっている。
【００１７】
なお、除塵装置１２は、コード引き出し時およびコード巻き取り時の双方において動作するものに限定されず、シリンダ１２ｂに一方向のみの回転が伝わるクラッチ機構（図示せず）を設けて、コード巻き取り時にはシリンダ１２ｂが回転しないようにしてもよい。または、コード引き出し時にシリンダ１２ｂが回転しないものであってもよい。
【００１８】
また、除塵装置１２は、コードリール３０の動作時の力に基づいて動作するものに限定されず、電動機（モータ）を用いて、コード引き出し時やコード巻き取り時に、図示しない制御部の制御によって電動機を駆動し、除塵装置１２を作動させるようにしてもよい。
【００１９】
また、中央区画壁１１は、打撃除塵子１２ａの下流側に、中央部が同心円状に配置される環状の支骨群１１ａと、該支骨群１１ａの外側に放射状に延びる支骨群１１ｂとで構成されている。
【００２０】
これにより、集塵ケース１０の濾過フィルタ１３（図４参照）を通過した排気（空気）は、除塵装置１２の打撃除塵子１２ａの枠状の隙間、中央区画壁１１の支骨群１１ａ，１１ｂの隙間を通って電動送風機２０Ａに向けて排出される。
【００２１】
図４に示すように、電動送風機２０Ａは、電動機部（図示せず）の周囲およびファン部（図示せず）の円周を覆うモータケース２１、該モータケース２１の周囲を覆う外ケース２２、防振キャップ２３、防振ゴム２４を備えて構成されている。
【００２２】
モータケース２１は、ファン部が前方を向くように横置きされ、前面に集塵ケース１０からの排気を吸引する吸気口２１ａが形成され、後部に吸気口から吸い込んだ空気をモータケース２１の外部に排出する排気孔２１ｂが形成されている。
【００２３】
外ケース２２は、モータケース２１を収容するとともに、下部に排気孔２１ｂからの排気を外ケース２２の外部に排出する排出口２２ａが形成されている。なお、外ケース２２は、合成樹脂などで形成され、掃除機本体２の下本体ケース２Ｂにねじなどを用いて固定されている。また、外ケース２２の上部には、制御基板７０が搭載されている。
【００２４】
防振キャップ２３は、電動機部（不図示）の後部に配置され、外ケース２２との間に介装されてモータケース２１を弾性支持するように構成されている。
【００２５】
防振ゴム２４は、ファン部の周囲を覆うように略環状に形成され、モータケース２１の前面に嵌合している。また、防振ゴム２４は、前面部分が中央区画壁１１に形成された円環状リブ１１ｃに密着し、外周面部分が外ケース２２と密着してモータケース２１を弾性支持するように構成されている。
【００２６】
これにより、電動送風機２０Ａの吸気口２１ａから吸気された排気は、モータケース２１内のファン部および電動機部を通って排気孔２１ｂから排出され、外ケース２２の排出口２２ａから掃除機本体２の底部（下本体ケース２Ｂの底面２ｔ）に向けて排出される。なお、モータケース２１の排気孔２１ｂと外ケース２２の排出口２２ａとの間には、電動機部側のモータケース２１を取り囲むようにフィルタ２５が周状に配置されている。
【００２７】
図５に示すように、コードリール３０は、電源コード３１が巻き取られたリール部３２が下本体ケース２Ｂに支持されている。なお、詳細には図示していないが、コードリール３０の空間は、リール部３２の壁によって電動送風機２０Ａの空間と仕切られている。
【００２８】
これにより、図５（ａ）に示すように、電動送風機２０Ａの排出口２２ａ（図４参照）から排出された排気は、コードリール３０の中央部を通り、そして図５（ｂ）に示すように、巻回された電源コード３１に向けて放射状に広がり、電源コード３１の収納口５０Ａに形成された隙間を通って掃除機本体２から水平方向後方に向けて排出される。
【００２９】
図６に示すように、掃除機本体２の後部には、第１の排気口４０Ａ、電源コード３１の収納口５０Ａ、第２の排気口６０Ａが設けられている。なお、本実施形態では、第１の排気口４０Ａ、収納口５０Ａ、第２の排気口６０Ａが、すべて上本体ケース２Ａに設けられているので、例えば、上本体ケース２Ａのみに第２の排気口６０Ａの加工を施せばよいのでコスト的に安価である。
【００３０】
第１の排気口４０Ａは、掃除機本体２の上部に形成され、上下方向に細長いスリット状の長孔４１が複数形成され、各長孔４１が左右方向に等間隔で配置されて構成されている。また、第１の排気口４０Ａは、斜め上向きの面に形成されている（図４参照）。ただし、第１の排気口４０Ａは、水平な向きの面に形成されてもよい。
【００３１】
各長孔４１内には、複数の補強リブ４２が上下方向に間隔を置いて形成されている。各補強リブ４２の上面４２ａおよび下面４２ｂは、いずれも水平方向に沿って形成されている（図４参照）。したがって、第１の排気口４０Ａが形成される面は斜め上向きとなっているが、第１の排気口４０Ａから出る排気は、補強リブ４２の水平面に沿って掃除機本体２から水平方向に排出されるようになっている。ただし、各補強リブ４２の上面４２ａおよび下面４２ｂを、水平方向に対して斜め上向きに形成し、第１の排気口４０Ａから出る排気を、掃除機本体２から斜め上向きに排出されるようにしてもよい。
【００３２】
収納口５０Ａは、横向き（水平方向後向き）に略四角形状となるようにして開口し、コード巻き取り時またはコード引き出し時の通路となり、電源コード３１のプラグＰＧが横向きの状態で収容されるように構成されている。また、収納口５０Ａは、掃除機本体２の左右方向の中央と、第１の排気口４０Ａの左端との間に位置している。なお、長孔４１は、収納口５０Ａが位置する領域が短く形成され、収納口５０Ａが長孔４１側に入り込むようになっている。
【００３３】
なお、運転時には電源コード３１（図５参照）が熱くなるので、冷却のために電源コード３１に対して空気（排気）が流れるように構成されており、電源コード３１を冷却後に収納口５０Ａの隙間から空気が掃除機本体２から外部に排出されるようになっている。本実施形態では、収納口５０Ａは、第１の排気口４０Ａに含まれるものとする。
【００３４】
第２の排気口６０Ａは、収納口５０Ａを挟んで、第１の排気口４０Ａの下側に形成されている。また、第２の排気口６０Ａは、左右方向に延びる横長形状を呈し、左右方向中央よりも左寄りに配置された収納口５０Ａの下側まで延びて形成されている。
【００３５】
なお、掃除機本体２の後部には、第１の排気口４０Ａと第２の排気口６０Ａとの間に、電気掃除機１Ａの収納時に掃除機本体２を立てて収納する際に床面に当接して支持する支持部Ｔ１が後方に向けて突出して形成されている（図４参照）。
【００３６】
図７に示すように、第２の排気口６０Ａは、合成樹脂などで一体に形成された排気部材６１が、掃除機本体２（図６参照）後部に形成された所定の切欠き孔（図示せず）に嵌着されることによって取り付けられている。このように、第１の排気口４０Ａが形成された上本体ケース２Ａに対して、第２の排気口６０Ａを取り付けるための切欠き孔を形成するだけでよいので、設計変更を容易かつ安価に行うことができる。
【００３７】
排気部材６１は、略四角横長形状の枠体６２を有している。枠体６２は、上下方向の上側の枠を構成する上枠部６２ａ、下側の枠を構成する下枠部６２ｂ、左側の枠を構成する左枠部６２ｃ、右側の枠を構成する右枠部６２ｄで構成されている。よって、上枠部６２ａの内側の壁面と、下枠部６２ｂの内側の壁面と、左枠部６２ｃの内側の壁面と、右枠部６２ｄの内側の壁面とによって、第２の排気口の流路Ｒが構成されている。排気部材６１の開口断面形状は、略四角横長形状の代わりに、略小判形状、略楕円形状、略円形状でもよい。
【００３８】
また、排気部材６１は、枠体６２の内側に、第２の排気口６０Ａ（図４参照）を左右方向に横断する２本の横リブ６３ａ，６３ｂが形成されている。横リブ６３ａ，６３ｂは、それぞれ左右両端が枠体６２の左枠部６２ｃ、右枠部６２ｄまで延びて形成され、互いに上下方向に間隔を開けて平行に配置されている。２本の横リブ６３ａ，６３ｂが配置されることによって、流路Ｒが上下方向に３つに区画されている。ただし、２本の横リブ６３ａ，６３ｂはなくてもよい。
【００３９】
また、排気部材６１は、枠体６２の内側に、第２の排気口６０Ａ（図４参照）を上下方向に横断する２本の縦リブ６４，６４が形成されている。各縦リブ６４は、側面視において略三角状に形成されている。２本の縦リブ６４，６４が配置されることによって、流路が左右方向に３つに区画されている。ただし、２本の縦リブ６４，６４はなくてもよい。
【００４０】
また、排気部材６１は、縦リブ６４と縦リブ６４との間に、第２の排気口６０Ａを上下方向に横断する２本の補強リブ６５，６５が形成されている。また、縦リブ６４と左枠部６２ｃとの間には、上下方向に横断する補強リブ６６が形成され、縦リブ６４と右枠部６２ｄとの間にも、同様に上下方向に横断する補強リブ６６が形成されている。ただし、２本の補強リブ６５，６５はなくてもよい。そして、枠体６２、２本の横リブ６３ａ，６３ｂ、２本の縦リブ６４，６４、２本の補強リブ６５，６５によって、第２の排気口６０Ａの各穴の開口断面形状は、略四角形状となるが、第２の排気口６０Ａの各穴の開口断面形状は、略小判形状、略楕円形状、略円形状でもよい。
【００４１】
図８に示すように、排気部材６１は、上枠部６２ａの内壁面である上壁面６２ａ１の長さをＬ１とし、下枠部６２ｂの内壁である下壁面６２ｂ１の長さをＬ２としたときに、長さＬ１が長さＬ２よりも長くなるように形成されている。なお、上壁面６２ａ１の長さＬ１とは、排気（空気）と接する面における排気の入口縁部から出口縁部までの長さを意味している。また、下壁面６２ｂ１の長さＬ２も、上壁面６２ａ１と同様に、排気（空気）と接する面における排気の入口縁部から出口縁部までの長さを意味している。
【００４２】
また、排気部材６１の横リブ６３ａは、上向きの壁面６３ａ１の長さをＬ３とし、下向きの壁面６３ａ２の長さをＬ４としたときに、長さＬ３と長さＬ４とが同じ長さになるように形成されている。また、壁面６３ａ１の長さＬ３および壁面６３ａ２の長さＬ４は、上壁面６２ａ１の長さＬ１よりも短く形成されている。なお、長さＬ３と長さＬ４は同じ長さに限定されるものではなく、Ｌ３＞Ｌ４（ただし、Ｌ１＞Ｌ３）としてもよい。
【００４３】
また、排気部材６１の横リブ６３ｂは、上向きの壁面６３ｂ１の長さをＬ５とし、下向きの壁面６３ｂ２の長さをＬ６としたときに、長さＬ５と長さＬ６とが同じ長さになるように形成されている。また、壁面６３ｂ１の長さＬ５および壁面６３ｂ２の長さＬ６は、壁面６３ａ２の長さＬ４よりも短く形成され、かつ、下壁面６２ｂ１の長さＬ２よりも長くなるように形成されている。なお、前記と同様に、Ｌ５とＬ６は同じ長さに限定されるものではなく、Ｌ５＞Ｌ６（ただし、Ｌ６＞Ｌ２、Ｌ４＞Ｌ５）としてもよい。
【００４４】
また、排気部材６１は、上壁面６２ａ１、下壁面６２ｂ１および壁面６３ａ１，６３ａ２，６３ｂ１，６３ｂ２は、水平方向に対して前側よりも後側が高くなるように上向きで、かつ、水平方向に対して角度α（例えば、１５度）となるように形成されている（図８参照）。
【００４５】
また、排気部材６１は、枠体６２の後端部に外側方に向かって鍔部６２ｅが形成されている。すなわち、上枠部６２ａについては、鉛直方向上方に向かって、下枠部６２ｂについては、鉛直方向下方に向かって、左枠部６２ｃについては、左側方に向かって、右枠部６２ｄについては、右側方に向かって延出している。なお、図８では上下方向のみ図示している。
【００４６】
鍔部６２ｅは、その前面６２ｅ１が掃除機本体２の後部パネル２ｐ（図９参照）と同一面となるように形成されている。したがって、上壁面６２ａ１、下壁面６２ｂ１および壁面６３ａ１，６３ａ２、６３ｂ１，６３ｂ２によって構成される流路Ｒが、掃除機本体２の内側に向けて突出するように形成されている（図４参照）。
【００４７】
すなわち、排気部材６１の上壁面６２ａ１が掃除機本体２の内側に突出するように構成されている。よって、掃除機本体２の後部パネル２ｐの表面からは、鍔部６２ｅの厚み分のみが外側に突出するようになっている。換言すると、上壁面６２ａ１が形成される上枠部６２ａの掃除機本体２の内部への形成量（突出量）は、下壁面６２ｂ１が形成される下枠部６２ｂの掃除機本体２の内部への形成量（突出量）よりも大きくなるように構成されている。
【００４８】
なお、本実施形態では、第２の排気口６０Ａを構成する排気部材６１を別部材（別ピース）で構成したが、これに限定されるものではなく、掃除機本体２の上本体ケース２Ａに第２の排気口６０Ａとしての流路Ｒを直接に（一体に）形成してもよい。
【００４９】
図９に示すように、電動送風機２０Ａの排出口２２ａから排出された排気は、白抜き矢印において、（ａ）で示すように、電動送風機２０Ａと掃除機本体２の後部パネル２ｐとの間に形成された排気流路Ｒ１を上昇する。そして、白抜き矢印の（ｂ）および（ｃ）で示すように、第１の排気口４０Ａから水平方向の後方に向けて排出される。同時に、白抜き矢印（ｄ）で示すように、電動送風機２０Ａの排出口２２ａと第１の排気口４０Ａとの間に形成された第２の排気口６０Ａから水平方向に対して斜め上向きに排出される。
【００５０】
また、電動送風機２０Ａの排出口２２ａから排出された排気は、コードリール３０側にも導かれ、コードリール３０の中心部を通って、電源コード３１を外周方向に向かって放射状に流れる（図５（ａ）参照）。このとき、排気が電源コード３１と電源コード３１との隙間を流れることにより、電源コード３１が冷却される。電源コード３１の外側に排出された排気は、収納口５０Ａの隙間から掃除機本体２の後方に向けて水平方向に排出され（図５（ｂ）参照）、同時に第２の排気口６０Ａの左寄りの部分から水平方向に対して上向きに排出される。
【００５１】
このように、図９において白抜き矢印の（ｃ）で示すように、第１の排気口４０Ａおよびコードリール３０の収納口５０Ａ（図５（ｂ）参照）から水平方向後方へ排出された排気は、図９において白抜き矢印の（ｄ）で示すように、第２の排気口６０Ａから斜め上向きに排出された排気と掃除機本体２の後方において干渉し、その結果、図９において白抜き矢印の（ｅ）で示すように、水平方向に対して上向きの排気となって後方へ流れるようになる。
【００５２】
さらに説明すると、図１０に示すように、第２の排気口６０Ａから排出される排気は、白抜き矢印で示すように、上壁面６２ａ１と壁面６３ａ１との間に形成される流路、壁面６３ａ２と壁面６３ｂ１との間に形成される流路、壁面６３ｂ２と下壁面６２ｂ１との間に形成される流路を通過する際、上壁面６２ａ１、下壁面６２ｂ１、壁面６３ａ１，６３ａ２，６３ｂ１，６３ｂ２の傾きαに沿って流れる。しかし、上壁面６２ａ１、下壁面６２ｂ１、壁面６３ａ１，６３ａ２，６３ｂ１，６３ｂ２を通過した排気は、傾きαよりも大きい傾きβ、つまり傾きαよりもさらに上向きとなって第２の排気口６０Ａから排出されるようになる。
【００５３】
つまり、上壁面６２ａ１の長さＬ１（図８参照、以下同様）が壁面６３ａ１の長さＬ３よりも長く形成されているので、上壁面６２ａ１に沿って流れる排気の摩擦が、壁面６３ａ１に沿って流れる排気の摩擦よりも大きくなることで、第２の排気口６０Ａを出たときの排気の角度が、上壁面６２ａ１側に傾いた状態で第２の排気口６０Ａの流路Ｒから排出されることになる。このような効果をコアンダ効果という。
【００５４】
同様に、壁面６３ａ２の長さＬ４が壁面６３ｂ１の長さＬ５よりも長く形成されているので、壁面６３ａ２側にさらに傾いた状態で第２の排気口６０Ａの流路Ｒから排出される。また、壁面６３ｂ２および下壁面６２ｂ１についても同様にして、壁面６３ｂ２側にさらに傾いた状態で第２の排気口６０Ａの流路Ｒから排出される。
【００５５】
また、第１の排気口４０Ａは、第２の排気口６０Ａよりも、掃除機本体２内の電動送風機２０Ａの排気流路Ｒ１上、下流側に位置している、つまり、電動送風機２０Ａから第１の排気口４０Ａに至るまでの排気流路の間に第２の排気口６０Ａが位置するので、第２の排気口６０Ａから第１の排気口４０Ａまでの間において圧力損失が生じて、上流側の第２の排気口６０Ａからの方が第１の排気口４０Ａよりも勢いよく排気が出ることになる（流速が速い）。また、第２の排気口６０Ａを掃除機本体２の後部パネル２ｐに対して内側に突出させて流路Ｒを構成しているので、電動送風機２０Ａと後部パネル２ｐとの間の排気流路Ｒ１が狭まることで、排気流路Ｒ１から第２の排気口６０Ａに排気が流れ込み易くなり、第２の排気口６０Ａからの排気が出易くなっている。さらに、掃除機本体２内に突出した第２の排気口６０Ａの開口面は、水平方向ではなく、斜め上向きであり、つまり、第２の排気口６０Ａの下壁面よりも上壁面のほうが掃除機本体２内に突出している。よって、掃除機本体２内に突出した第２の排気口６０Ａの開口面が、排気流路Ｒ１内の下から上へ向かって流れる排気の向きにわずかに対向することとなるため、排気流路Ｒ１から第２の排気口６０Ａに排気が流れ込み易くなり、第２の排気口６０Ａからの排気が出易くなっている。したがって、第２の排気口６０Ａからの排気が、第１の排気口４０Ａからの排気に干渉して打ち勝って、第１の排気口４０Ａから水平に排出される排気を上向きにできるようになっている。
【００５６】
ちなみに、排気の音については、電動送風機２０Ａから第１の排気口４０Ａまでの流路の長さを長く設定することにより、排気音を低減できるようになっている。しかし、第１の排気口４０Ａから排気を多く出すと、床面の塵埃を巻き上げることになる。そこで、第１の排気口４０Ａよりも流速が速い上流側に第２の排気口６０Ａを設けて、第２の排気口６０Ａから少量の排気を上向きに排出することにより、排気音を過度に大きくすることなく、床面の塵埃の巻き上げを抑制することが可能になる。第２の排気口６０Ａの開口面積を、第１の排気口４０Ａの開口面積よりも大きくして、第２の排気口６０Ａからの排気の流速を速めてもよい。
【００５７】
以上説明したように、第１実施形態の電気掃除機１Ａでは、第２の排気口６０Ａの流路が水平方向に対して斜め上向きに形成され、上壁面６２ａ１の長さが下壁面６３ｂ１の長さよりも長く形成されているので、第２の排気口６０Ａからの排気を第１の排気口４０Ａからの水平方向の排気と干渉させることが、より小さい傾きの面（より少ない上向きの面）により可能となり、全体として上向きの排気とすることができ（図９参照）、床面の塵埃の巻き上げを抑制することが可能になる。
【００５８】
しかも、第１実施形態では、第２の排気口６０Ａの孔が真上ではなく、水平方向に対して上向き、しかも前記したコアンダ効果を利用してより小さい傾きに設定されているので、液体や塵埃などの異物の侵入を効果的に抑制することができる。また、第１実施形態では、第２の排気口６０Ａからの排気が斜め上向きに設定されているので、排気が使用者の衣服や顔などに当たるのを防止することができ、使用者が不快に感じるのを防止できる。また、第１実施形態では、第２の排気口６０Ａが、掃除機本体２の後部パネル２ｐの表面から後方へほとんど突出することがないので（本実施形態では、鍔部６２ｅの厚み分のみ突出）、換言すると第２の排気口６０Ａが、支持部Ｔ１と車輪Ｗの接点Ｑ１とを結ぶ直線（破線）よりも前方（掃除機本体２を立てた状態では上方）に位置しているので（図４参照）、掃除機本体２の車輪Ｗの位置を後方に移動させる必要がなく、掃除機本体２が大型化することがない。
【００５９】
また、第１実施形態では、上壁面６２ａ１（第１の排気口に近い壁面）の長さＬ１が壁面６３ａ１（前記近い壁面に対向する壁面）の長さＬ３より長く形成されている。また、壁面６３ａ２（第１の排気口に近い壁面）の長さＬ４は、壁面６３ｂ１（前記近い壁面に対向する壁面）の長さＬ５より長く形成されている。また、壁面６３ｂ２（第１の排気口に近い壁面）の長さＬ６は、下壁面６２ｂ１（前記近い壁面に対向する壁面）の長さＬ２より長く形成されている。したがって、上壁面６２ａ１、下壁面６２ｂ１、壁面６３ａ１，６３ａ２，６３ｂ１，６３ｂ２の傾きαよりもさらに上向き（傾きβ）の排気とすることができる。このようにして、より小さい傾きの面（より少ない上向きの面）により構成された流路Ｒで排気を第１の排気口４０Ａからの排気と干渉させ、全体として斜め上向きの排気とすることができる。よって、床面の塵埃の巻き上げを防止することができる。
【００６０】
また、換言すると、第１実施形態では、上壁面６２ａ１の掃除機本体２（後部パネル２ｐ）の内側への形成量（突出量）は、第２の排気口６０Ａの流路Ｒを形成する壁面のうち下壁面６２ｂ１の掃除機本体２（後部パネル２ｐ）の内側への形成量（突出量）よりも長い（大きく）形成されているので、より小さい傾きの面による流路Ｒからの排気を第１の排気口４０Ａからの排気と干渉させることができ、全体として斜め上向きの排気とすることができる。
【００６１】
また、第１実施形態では、第２の排気口６０Ａを電源コード３１の収納口５０Ａと上下に重なる位置まで延ばして構成、つまり収納口５０Ａの下側に第２の排気口６０Ａが位置しているので、収納口５０Ａを横向き(水平方向の向き)に配置して排気を水平方向に排出したとしても、第２の排気口６０Ａからの斜め上向きの排気によって収納口５０Ａからの排気を斜め上向きの排気とすることが可能になる。したがって、電源コード３１の冷却風（排気）の出口となる収納口５０Ａからの排気による床面の塵埃の巻き上げについても抑制することが可能になる。第１の排気口４０Ａからの排気の向きが斜め上向きである場合は、第２の排気口６０Ａを第１の排気口４０Ａの下側に形成せずに、収納口５０Ａの下側にのみ形成してもよい。
【００６２】
また、第１実施形態では、第２の排気口６０Ａが電動送風機２０Ａの排出口２２ａから第１の排気口４０Ａに至るまでの排気流路Ｒ１の途中に形成され、第２の排気口６０Ａの流路Ｒを形成する上壁面６２ａ１が、掃除機本体２の内側である排気流路の流路内に飛び出して形成されているので（図１０等参照）、第２の排気口６０Ａから排気が出易くなり、しかも流速が速い状態の排気を第２の排気口６０Ａから排出できるので、第１の排気口４０Ａからの排気を上向きにすることが可能になる。
【００６３】
（第２実施形態）
図１１は第２実施形態の電気掃除機を示す外観斜視図、図１２は図１１の電気掃除機の縦断面図である。なお、第１実施形態では、紙パックを使用しない、塵埃を排出することによって繰り返し使用可能な集塵ケース方式の電気掃除機１Ａを例に挙げて説明したが、第２実施形態は、交換が必要な紙パック式の電気掃除機１Ｂを参照して説明する。また、第３実施形態は、第２実施形態と同様、紙パック式の電気掃除機１Ｃである。このように、本発明の電気掃除機は、非紙パック方式および紙パック方式のいずれにも適用することができる。
【００６４】
なお、第２実施形態に係る電気掃除機１Ｂに搭載される電動送風機２０Ｂ（図１２参照）は、モータケース２１の上部に集塵性能の高いフィルタ２５ｓ（ＨＥＰＡ、ＵＬＰＡなど）が配置され、フィルタ２５ｓの上部に、フィルタ２５ｓから出た排気（空気）を掃除機本体２の底部に導くカバー部材２６を備えている。したがって、モータケース２１から出た排気の全量は、フィルタ２５ｓを通り、カバー部材２６によってモータケース２１の右側面（紙面裏側）を通り、電動送風機２０Ｂの底側に導かれるようになっている。
【００６５】
図１１に示すように、第２実施形態の電気掃除機１Ｂは、掃除機本体２の後部に第１の排気口４０Ｂ、収納口５０Ｂ、第２の排気口６０Ｂ１，６０Ｂ２を有している。なお、掃除機本体２の後部は、後方に向く後面２ｐ１と、斜め後方に向けられる後面２ｐ２とを有する後部パネル２ｐ（図１２参照）を有している。
【００６６】
第１の排気口４０Ｂは、６角形状に形成された貫通孔４３を複数有し、貫通孔４３が上下方向に複数（本実施形態では５個）配置され、かつ、左右方向に複数（本実施形態では１１個）配置されて構成されている。なお、各貫通孔４３は、後部パネル２ｐの後面２ｐ２に形成され、後面２ｐ２に対して直交する向き（ほぼ直交する向き）に貫通して形成されている。すなわち、第１の排気口４０Ｂの貫通孔４３からは、排気が斜め上向きに排出されるようになっている。
【００６７】
収納口５０Ｂは、第１の排気口４０Ｂに含まれるものであり、貫通孔４３の左側に配置されている。この収納口５０Ｂは、第１実施形態の収納口５０Ａと同様に、コード巻き取り時またはコード引き出し時の通路となり、電源コード３１のプラグＰＧが横向きの状態で収容されている。
【００６８】
第２の排気口６０Ｂ１は、第１の排気口４０Ｂの下側に位置し、第１の排気口４０Ｂから収納口５０Ｂまで左右方向に細長く形成されている。また、第２の排気口６０Ｂ１は、掃除機本体２の後部パネル２ｐと一体に形成されている。なお、第２の排気口６０Ｂ１は、第１実施形態の第２の排気口６０Ａと同様に別部材で形成されるものであってもよい。
【００６９】
また、第２の排気口６０Ｂ１は、左右方向に細長い開口部６８（図１１参照）を有し、該開口部６８内に左右方向に間隔を開けて補強リブ６８ｓが形成されている。また、第２の排気口６０Ｂ１は、その上側の壁を構成する壁面６８ａが掃除機本体２（後部パネル２ｐ）の内側に向けて延び、下側の壁を構成する壁面６８ｂが壁面６８ａに対向して形成されている。また、第２の排気口６０Ｂ１は、水平方向に対して斜め上向きとなるように流路Ｒ３が形成されている。
【００７０】
また、壁面６８ａの長さＬ１０（図１２参照）は、壁面６８ｂの長さＬ１１より長く形成されている。なお、長さＬ１０および長さＬ１１は、排気の入口縁部（内側）から出口縁部（外側）までの長さを意味している。したがって、排気が第２の排気口６０Ｂ１から斜め上向きに排出される際、いわゆるコアンダ効果によって、壁面６８ａおよび壁面６８ｂの傾きよりも大きい傾き、つまり第１の排気口４０Ｂ側にさらに傾いた状態で第２の排気口６０Ｂ１の流路Ｒ３から排出される。
【００７１】
第２の排気口６０Ｂ２は、第１の排気口４０Ｂの上側に位置し、第１の排気口４０Ｂから収納口５０Ｂまで左右方向に細長く形成されている。すなわち、第２の排気口６０Ｂ２は、第２の排気口６０Ｂ１とで、収納口５０Ｂを含む第１の排気口４０Ｂを上下で挟むように構成されている。
【００７２】
また、第２の排気口６０Ｂ２は、その上側の壁を構成する壁面６９ａが掃除機本体２（後部パネル２ｐ）の内側に向けて延び、下側の壁を構成する壁面６９ｂが壁面６９ａに対向して形成されている。また、第２の排気口６０Ｂ２は、後面２ｐ２に形成され、水平方向に対して斜め後方上向きとなるように形成されている。
【００７３】
また、壁面６９ｂの長さＬ１３は、壁面６９ａの長さＬ１２より長く形成されている。なお、長さＬ１２および長さＬ１３は、排気の入口縁部（内側）から出口縁部（外側）までの長さを意味している。したがって、排気が第２の排気口６０Ｂ２から斜め上向きに排出される際、いわゆるコアンダ効果によって、壁面６９ａおよび壁面６９ｂの傾きよりも小さい傾き、つまり第１の排気口４０Ｂ側にさらに傾いた状態で第２の排気口６０Ｂ２の流路Ｒ４から排出される。
【００７４】
なお、第１の排気口４０Ｂと第２の排気口６０Ｂ１との間の後部パネル２ｐの後面２ｐ１には、掃除機本体２を立てて収納するときに、床面に当接する支持部Ｔ２が形成されている。
【００７５】
このような第２実施形態の電気掃除機１Ｂでは、第２の排気口６０Ｂ１の流路を形成する壁面のうち第１の排気口４０Ｂからの排気に近い壁面６８ａの長さＬ１０が、第２の排気口６０Ｂ１の流路を形成する壁面のうち前記近い壁面に対向する壁面６８ｂの長さＬ１１よりも長く形成されているので、第２の排気口６０Ｂ１からの排気が第１の排気口４０Ｂからの排気側に傾いた状態で排出される。また、第２実施形態では、第２の排気口６０Ｂ２の流路を形成する壁面のうち第１の排気口４０Ｂからの排気に近い壁面６９ｂの長さＬ１３が、第２の排気口６０Ｂ２の流路を形成する壁面のうち前記近い壁面に対向する壁面６９ａの長さＬ１２よりも長く形成されているので、第２の排気口６０Ｂ２からの排気が第１の排気口４０Ｂからの排気側に傾いた状態で排出される。
【００７６】
ところで、後部パネル２ｐに形成される貫通孔４３は、薄い板に孔が形成されているものであるため、貫通孔４３から排気が出る際に拡散して排出されることがある。そこで、第２実施形態によれば、第１の排気口４０Ｂからの排気が拡散して排出されたとしても、第２の排気口６０Ｂ１からの排気と第２の排気口６０Ｂ２からの排気とで第１の排気口４０Ｂからの排気を挟みながら前記拡散を防止して、上向きの排気の流れとすることにより、排気の流れが整えられて、塵埃の巻き上げを抑制することが可能になる。
【００７７】
しかも、第２実施形態では、第２の排気口６０Ｂ１，６０Ｂ２の開口部６８，６９が真上の向きではなく、水平方向に対して斜め上向きに設定されているので、液体や塵埃などの異物の侵入を抑制することができる。また、第２実施形態では、第２の排気口６０Ｂ１，６０Ｂ２からの排気が斜め上向きに設定されているので、排気が使用者の衣服や顔などに当たるのを防止することができ、使用者が不快に感じるのを防止できる。また、第２実施形態では、第２の排気口６０Ｂ１は、収納時に掃除機本体２を立てたときに、支持部Ｔ２と車輪Ｗの床面との接点Ｑ２とを結ぶ直線（破線）よりも前方（立てた状態では上方）に位置しているので（図１２参照）、第２の排気口６０Ｂ１，６０Ｂ２を設けたとしても、掃除機本体２の車輪Ｗの位置を後方に移動させる必要がなく、掃除機本体２が大型化することがない。
【００７８】
また、第２実施形態によれば、第２の排気口６０Ｂ１，６０Ｂ２を電源コード３１の収納口５０Ｂと上下に重なる位置まで延ばして構成したので、収納口５０Ｂを横向き(水平方向)に配置したとしても、第２の排気口６０Ｂ１，６０Ｂ２からの各排気を収納口５０Ｂからの排気と干渉させて挟み込むことで、全体として斜め上向きの排気とすることができる。したがって、電源コード３１の冷却風（排気）の出口となる収納口５０Ｂからの排気による床面の塵埃の巻き上げを抑制することが可能になる。
【００７９】
また、第２実施形態では、第２の排気口６０Ｂ１が電動送風機２０Ｂの排出口から第１の排気口４０Ｂに至るまでの排気流路Ｒ１の途中に形成され、第２の排気口６０Ｂ１の流路を形成する上壁面６８ａが、掃除機本体２の内側である排気流路Ｒ１の流路内に飛び出して形成されているので、排気流路Ｒ１が第２の排気口６０Ｂ１の部分で流路が狭まり、第２の排気口６０Ｂ１から排気が出易くなり、流速が速い状態の排気を第２の排気口６０Ｂ１から排出することで、第１の排気口４０Ｂからの排気の拡散を防止できる。
【００８０】
（第３実施形態）
図１３は第３実施形態に係る電気掃除機を示す外観斜視図、図１４は図１３に示す電気掃除機の縦断面図である。なお、以下に示す第３実施形態は参考形態である。第３実施形態に係る電気掃除機１Ｃは、掃除機本体２の後部に第１の排気口４０Ｃ、第２の排気口６０Ｃを備えている。なお、第１の排気口４０Ｃは、第２実施形態での第１の排気口４０Ｂよりも全体として広い開口面積を有している。また、電動送風機２０Ｃは、前記した電動送風機２０Ａと同様に、モータケース２１が外ケース２２によって支持されており、外ケース２２の底部に形成された排出口２２ａを介して排気が排出されるようになっている。
【００８１】
すなわち、第１の排気口４０Ｃは、上下方向および左右方向に配列された複数の貫通孔４４で構成され、貫通孔４４で構成された第１の排気口４０Ｃの左側に電源コード３１の収納口５０Ｃを有している。収納口５０Ｃは、前記した収納口５０Ａ，５０Ｂと同様に、水平方向後方に向けて開口し、プラグＰＧが横向きで収容されるようになっている。
【００８２】
第２の排気口６０Ｃは、収納口５０Ｃを含む第１の排気口４０Ｃの上部に配置され、左右方向に細長い開口部７１を有し、該開口部７１内に左右方向に間隔を開けて補強リブ７１ｓが形成されている。この第２の排気口６０Ｃは、後方に向けて斜め上向きに設定されている（図１４参照）。なお、掃除機本体２の後部には、第１の排気口４０Ｃの下側に、掃除機本体２を立てて収納したときに床面に当接する支持部Ｔ３が形成されている。
【００８３】
第３実施形態では、第１の排気口４０Ｃからの排気が上向きに拡散して排出されたとしても、第２の排気口６０Ｃからの排気によって前記拡散を防止して、斜め上向きの排気の流れとなり、排気の流れが整えられるので、塵埃の巻き上げを抑制することが可能になる。
【００８４】
しかも、第３実施形態では、第２の排気口６０Ｃの開口部７１が真上の向きではなく、斜め上向きに設定されているので、排気が使用者の衣服や顔などに当たるのを防止することができ、使用者が不快に感じるのを防止できる。また、第２の排気口６０Ｃは、収納時に掃除機本体２を立てたときに、支持部Ｔ３と車輪Ｗの床面との接点Ｑ３とを結ぶ直線（破線）よりも前方（立てた状態では上方）に位置しているので（図１４参照）、掃除機本体２の車輪Ｗの位置を後方に移動させる必要がなく、掃除機本体２が大型化することがない。
【００８５】
また、第３実施形態によれば、第２の排気口６０Ｃを電源コード３１の収納口５０Ｃと上下に重なる位置まで延ばして構成したので、収納口５０Ｃを横向き（水平方向)に配置したとしても、第２の排気口６０Ｃからの排気を収納口５０Ｃからの排気と干渉させることで、全体として斜め上向きの整った排気とすることができる。したがって、電源コード３１の冷却風（排気）の出口となる収納口５０Ｃからの排気による床面の塵埃の巻き上げを抑制することが可能になる。
【００８６】
なお、前記した各実施形態では、第１の排気口と第２の排気口を上下の関係となるように配置した場合を例に挙げて説明したが、このような関係に限定されず、第１の排気口と第２の排気口を左右に配置して、第１の排気口からの排気と第２の排気口からの排気とを干渉させて、全体として排気を掃除機本体２の側方へ上向きに設定するようにしてもよい。
【符号の説明】
【００８７】
１Ａ，１Ｂ，１Ｃ  電気掃除機
２      掃除機本体
２Ａ    上本体ケース
２Ｂ    下本体ケース
２ｐ    後部パネル
２０Ａ，２０Ｂ，２０Ｃ  電動送風機
２２ａ  排出口
３０    コードリール
３１    電源コード
４０Ａ，４０Ｂ，４０Ｃ  第１の排気口
５０Ａ，５０Ｂ，５０Ｃ  収納口
６０Ａ，６０Ｂ１，６０Ｂ２，６０Ｃ  第２の排気口
６１    排気部材
６２    枠体
６２ａ１  上壁面
６２ｂ１  下壁面
６３ａ，６３ｂ  横リブ
６４    縦リブ
６５，６６  補強リブ
６３ａ１，６３ａ２，６３ｂ１，６３ｂ２，６８ａ，６８ｂ，６９ａ，６９ｂ  壁面
Ｒ      流路
Ｒ１    排気流路
Ｔ１，Ｔ２，Ｔ３  支持部
【図１】
0005571491.tif 000002
【図２】
0005571491.tif 000003
【図３】
0005571491.tif 000004
【図４】
0005571491.tif 000005
【図５】
0005571491.tif 000006
【図６】
0005571491.tif 000007
【図７】
0005571491.tif 000008
【図８】
0005571491.tif 000009
【図９】
0005571491.tif 000010
【図１０】
0005571491.tif 000011
【図１１】
0005571491.tif 000012
【図１２】
0005571491.tif 000013
【図１３】
0005571491.tif 000014
【図１４】
0005571491.tif 000015